(57)【特許請求の範囲】
【請求項１】
６枚の水かき板１を側面視六角形になるように組み合わせて、水かき板１全体を歪まないようにする円形のバランスホイール板２で水かき板１を両側面から挟み、水面に対して突き刺さるように水かき板１が入り、水の抵抗を少なくしてより多くの水を含めて押し出すように水を掻き、船首に向かってハンドバーを前後に漕ぐ事によりバランスホイール板２が回転し、内部に組み込まれた６枚の水かき板1が水を掻いてボートを前進走行させることを特徴とする前進回転式オール。      
【発明の詳細な説明】
【技術分野】
【０００１】  本発明は、回転式オールに関するものであり、水かき板１を六角形に組み合わせることにより回転しながら水面に直角に突き刺さるように水かき板が入るため水の抵抗を軽減できて円滑にムラなく規則正しく水を掻くことが出来る。
【背景技術】
【０００２】    従来から、手漕ぎオールとして棒状の先端にヘラ状のブレードと呼ばれる水かきがついていてそれで水を掻いてボート等を漕ぐオールがある。又、従来のオールの例としては特許文献１に開示されているものもある。【特許文献１】特開２００２−２０５６９０号公報
【発明の開示】
【発明が解決しようとする課題】
【０００３】    しかしながら、従来の手漕ぎオールは水を掻いてから元の位置にオールを戻して又水を掻いて元の位置にオールを戻すその繰り返しである。バックスタイルで舳先に向かってボートを漕ぐため水先が見えないので障害物に気を配りながら漕がなければならないため左右均等に力が入らずボートをまっすぐ進ませることが困難である、水先が見えないなどということは危険極まりないことである。それに水を掻いたオールを元の位置に戻さなければならないというその無駄な反復運動をはぶく事と脚を踏ん張って力を込めて思いっきりオールを漕がなければならない。両脇でボート漕ぎをしているオールに接触しないように気を配ってボート漕ぎをしなければならない事など、当然狭いところに入っていけないなどの不都合さを解決することを課題とする。  
【課題を解決するための手段】
【０００４】    この課題を解決するための請求項１の発明は、縦型で回転しながら水を掻いて前進走行することを基本とするので、前述したようにバックスタイルで障害物に気を配りながらボート漕ぎをしなければならないため左右均等に力が入らずボートをまっすぐ進ませることが困難である。又、後ろ向きで漕ぐため水先が見えないので危険極まりないということも回避できる。従来のオールのようにボートの両脇に棒状のようなものが突き出ていて水を掻くのではないため前記でも述べたように両脇でボート漕ぎをしているオールに接触しないように気を配りながらボート漕ぎをしなければならない事、狭いところへ入っていけないなどが回避でき、水を掻いてからオールを元の位置に戻さなければならないなどの無駄な反復運動も省くことが出来る。  【０００５】    又、ボートの両縁に取付けてハンドバー１５を前後に漕ぐことを特徴とし、従来のように脚を踏ん張って腕を前方に突き出してから引き寄せて漕ぐ人の往復運動と比べ短く漕げるので疲労感を少なくできて体力のない人、老若男女問わず誰でも楽しくボート乗りが出来るようにしたものである。体にかかる負担を少なくし、力をあまり込めなくても楽にボート漕ぎが出来るように、脚を踏ん張って力を込めて思いっきりオールを漕がなければならないなどの不都合を解決することが出来る。  
【発明の効果】
【０００６】         本発明により、水かきオールが縦型回転式なので舳先に向かってハンドバー１５を前後に軽く漕ぐことにより前進走行するため前方がよく見えて安全である。幅はとらず狭いところにも入っていけて邪魔にならない事、隣のボートを漕ぐオールと接触しない、水を掻いたオールを元の位置に戻さなくてもよく無駄な反復運動を省ける事など、それから力のない人、老若男女問わず楽にボート乗りが出来て楽しさも倍増する。本発明は回転して水を掻くので従来のオールのように力をあまり込めなくても軽く水を掻くことが出来る。反復運動をして漕ぐ従来のオールと違い本発明の前進回転式オールは非常に効率がよく実用性に優れ、これまでのバックスタイルで漕ぐ手漕ぎオールと前進回転式オールが入れ替わり回転式オールの草分けとなり産業界に利用される可能性大である。早い軽い安全の三拍子そろった前進回転式オールを提供する。
【発明を実施するための最良の形態】
【０００７】    図１は水かき板1を六角形に組合せた断面図である。六角形に組合せる事により回転しながら水面に一枚ずつ突き刺さるように水かき板１が入るため、水の抵抗が少なくすみ規則正しくムラなく円滑に連続で水を掻くことができる。水かき板１の組み合わせは五角形でも七角形にしもよい。円形のバランスホイール板２で６枚の水かき板１を両側面から挟むことで回転歪みを抑えバランスのとれた安定した回転運動が望める。それに水かき板と水かき板が結合するところにバランスホイール板２で挟むことにより水ポケット部４が出来るため水が脇へ逃げないのでより多くの水を含めて押し出すように水かきが出来る。水かき工程は図１に示すように六角形に組み込まれて配列されてある６枚の水かき板１が図６で示すようにハンドバー１５を前後に漕ぐことにより回転してロータリーエンジンに例えれば水ポケット部Ａで吸入、Ｂで圧縮、Ｃで排水をして連続繰り返し水を掻き、推進力を生み出すのである。それから、バランスホイール板２の円形の大きさを決めるにはギヤボックス１１を舟の縁に取付けて水面からの高さと舟の沈む深さによって水かき板１の水を掻く適量を決めなければならずその沈み具合で円形板の大きさが決る。【０００８】          図２は回転式オールを正面から見た図であり、薄型で縦型になっていて側面中央にある回転軸受け３にスプライン加工を施し、図６のギヤボックス１１から出ている回転軸８にもスプライン加工施してそれを回転軸受け３に装てんする。抜け防止ピン１０で止めれば準備完了、後は抜けはずれ空転することなく回転して水を掻くことができる。ギヤボックス１１と回転式オールを組み合わせ舟５に取付ける場合、図８を参照にして、まず、コの字型固定台１９を舟５の縁に上部からかぶせるように両縁にセットして固定ネジ２０で動かないように締め付ける。ギヤボックス１１から出ている差込１７とコの字型固定台１９から出ている受止１８に穴をあわせてセットし、通軸１６を貫通さして抜防止ピン１０で止める。【０００９】    本発明である前進回転式オールのギヤボックス１１の内部構造は、図７に示すように丸みを帯びた金属製のギヤボックス１１の中にギヤ比の異なる大小のギヤ二個を収納組み合わせＢギヤの回転速度を増すようにすると共にＡギヤとＢギヤの回転方向を右と左に変えられるようにして防水加工を施しコンパクトにした事である。まず、外に突出してあるギヤ軸１２と一本化してある六角ボルト１３にラチェット１４を挿入させラチェットと一本化してあるハンドバー１５で前後に漕ぎ、前に出して空転、後ろへ引くと回転するようにセットして前後に漕ぐことによりギヤ軸１２のＡギヤ２１が矢印方向に右回転し連結してＢギヤ２２が矢印方向に速度を増して左回転する。                                 
【産業上の利用可能性】
【００１０】  従来のオールと違い、薄型で縦型回転式なので軽く水を掻けるのと両側の障害物にもあまり気をとられることなくボートのりができ狭いところにも入っていけるし反復運動も省けて効率が良く人力なので公害問題も起きず自然界に優しく省エネで環境対策にも貢献できてこれまでの常識を打ち破る画期的な発明である。これからのハイテク時代に逆行するようではあるが産業上利用される可能性が高く、特にレジャー用、ボートレース用に向く。前進回転式オールを提供する。
【図面の簡単な説明】
【００１１】
【図１】図2のＡ−Ａ´断面図である。
【図２】本発明の正面図である。
【図３】本発明の側面図である。
【図４】本発明を舟に取付けて水かき板が回転しながら水面に突き刺さって水を掻いて舟を前に進ませてゆく様子を表した側面仮想図である。
【図５】正面から見た舟の断面に本発明品を両側の縁に取付けて水に浮かべてみた様子である。
【図６】ギヤボックスを正面から見た図である。
【図７】ギヤボックスの左側面内部構造図である。
【図８】ギヤボックスをコの字型固定台にセットする様子を表した立体図である。
【図９】本発明である前進回転式オールを舟に取付けて海原を快走する予想図である。
【符号の説明】
【００１２】１  水かき板                                                                     ２  バランスホイール板                                                      ３  回転軸受４  水ポケット部５  舟６  水    ７  前進回転式オール    ８  回転軸    ９  Ｂギヤ軸  １０  抜防止ピン  １１  ギヤボックス      １２  Ａギヤ軸  １３  六角ナット  １４  ラチェット  １５  ハンドバー  １６  通軸  １７  差込  １８  受止  １９  コの字型固定台  ２０  固定ネジ  ２１  Ａギヤ  ２２  Ｂギヤ
【図１】
0004403564.tif 000002
【図２】
0004403564.tif 000003
【図３】
0004403564.tif 000004
【図４】
0004403564.tif 000005
【図５】
0004403564.tif 000006
【図６】
0004403564.tif 000007
【図７】
0004403564.tif 000008
【図８】
0004403564.tif 000009
【図９】
0004403564.tif 000010